(57)【特許請求の範囲】
【請求項１】
ベース部(１)と、該ベース部上に配備された複数の構成部品からなり、ベース部(１)を含んで構成部品の一部が取替え可能な商品の、該ベース部(１)に貼り付けるラベル(６)の貼着構造において、
ラベル(６)は、商品の定格、性能等、構成部品の一部を取り替えることによって表示内容が変わる品質表示部(61)と、シリアル記号等その商品の固有の記号を表示する記号表示部(62)とを有し、ラベル(６)には品質表示部(61)と記号表示部(62)の境界で該ラベルを分断できる分断可能部(63)が形成され、ラベル(６)の裏面には接着剤層(65)が施されており、
ベース部(１)上のラベル貼着部(５)は、ラベル(６)の品質表示部(61)に対する第１貼着領域(51)と、記号表示部(62)に対する第２貼着領域(52)を有し、
ラベル(６)の品質表示部(61)は前記第１貼着領域(51)に剥がすことが困難な様に接着され、記号表示部(62)は前記第２貼着領域(52)に剥離可能に接着されているラベルの貼着構造。
【請求項２】
商品は監視カメラであり、ベース部(１)は監視カメラを構造物の天井や壁面等の取付け面に取り付けるための台座(10)を兼用している請求項１に記載のラベルの貼着構造。
【請求項３】
ラベル貼着部(５)の第１貼着領域(51)は、表面を平滑面(53)に形成してラベル(６)の接着剤層(65)に対して強接着性が付与され、第２貼着領域(52)は、表面を目視できる細かい凹凸のある凹凸面(54)に形成して、ラベル(６)の接着剤層(65)に対して弱接着性が付与されている請求項１又は２に記載のラベルの貼着構造。
【請求項４】
ベース部(１)は合成樹脂にて形成され、ラベル貼着部(５)の平滑面(53)及び凹凸面(54)は、ベース部の成形金型に対応する面が写し取られて形成されている請求項１乃至３の何れかに記載のラベルの貼着構造。
【請求項５】
構造物の天井、壁等の取付け面に取付ける取付け台座(10)上に制御基板(42)、カメラ(41)を含む複数の構成部材からなるカメラユニット(４)を搭載し、該カメラユニット(４)をドーム型カバー(３)で覆い、取付け台座(10)をベース部(１)とした請求項１乃至４の何れかに記載のラベルの貼着構造を有する監視カメラ。
【発明の詳細な説明】
【技術分野】
【０００１】
本発明は、商品の定格、性能等、構成部品の一部を交換することによって表示内容が変わる品質表示部と、シリアル記号等その商品の固有の記号を表示する記号表示部とを有するラベルを商品に貼着した、ラベルの貼着構造に関するものである。
【背景技術】
【０００２】
監視カメラの場合、設置済みの監視カメラに各種オプション機能を付加するために、制御基板を取り替えることが行われている。この場合、制御基板が大型化して、台座上のスペースの関係等により、台座も一緒に交換されることが多い。
監視カメラの、電源定格値等の定格、性能及びシリアル番号を表示したラベルは、台座の裏面に強力な接着剤で貼着されており、取り替えた古い台座と一緒に失なわれてしまう。
取り替えた新しい台座には、新規な性能に対応する新たなラベルが貼着されているが、メーカ側では管理上、監視カメラの履歴、即ち、古いシリアル番号を必要とする。
【０００３】
従来は、台座に貼着したラベルとは別に、シリアル番号だけを表示した履歴ラベルを、監視カメラと一緒に梱包して出荷し、必要に応じてユーザが交換した新しい台座に、前記履歴ラベルを貼着している。
新しい台座には、新しくなった性能と新しいシリアス番号を表示したラベルと、元のシリアス番号だけを表示した履歴ラベルが貼着されたことになる。
【０００４】
本発明の従来例として適当な特許文献、非特許文献を見つけることが出来なかったので、ラベルの貼着面を粗面に形成した文献を特許文献１として挙げておきます。
【特許文献１】実用新案登録第３０１７９８４号公報
【発明の開示】
【発明が解決しようとする課題】
【０００５】
シリアル番号だけを表示した履歴ラベルを、監視カメラと一緒に梱包すると、ユーザ側で該履歴ラベル使用する前に紛失する虞れがある。この場合、カメラや電源基板の履歴が消失する。
【０００６】
又、特許文献１の記載の技術で、ラベルを貼り替え可能に、監視カメラの台座に貼着し、新しい台座に、該ラベルのシリアス番号部分だけを切り取って貼着することも考えられる。しかし、この場合、古いラベルをそのままの状態で、新しい台座に貼り替えることも可能なため、即ち、電源定格値等の性能表示を別商品に貼り替え可能とすることは、法的に問題がある。
【０００７】
本発明は、上記問題を解決できるラベルの貼着構造及び該貼着構造を具えた監視カメラを明らかにするものである。
【課題を解決するための手段】
【０００８】
請求項１は、ベース部(１)と、該ベース部上に配備された複数の構成部品からなり、ベース部(１)を含んで構成部品の一部が取替え可能な商品の、該ベース部(１)に貼り付けるラベル(６)の貼着構造において、
ラベル(６)は、商品の定格、性能等、構成部品の一部を取り替えることによって表示内容が変わる品質表示部(61)と、シリアル記号等その商品の固有の記号を表示する記号表示部(62)とを有し、ラベル(６)には品質表示部(61)と記号表示部(62)の境界で該ラベルを分断できる分断可能部(63)が形成され、ラベル(６)の裏面には接着剤層(65)が施されており、
ベース部(１)上のラベル貼着部(５)は、ラベル(６)の品質表示部(61)に対する第１貼着領域(51)と、記号表示部(62)に対する第２貼着領域(52)を有し、
ラベル(６)の品質表示部(61)は前記第１貼着領域(51)に剥がすことが困難な様に接着され、記号表示部(62)は前記第２貼着領域(52)に剥離可能に接着されている。
【０００９】
請求項２は請求項１のラベルの貼着構造において、商品は監視カメラであり、ベース部(１)は監視カメラを構造物の天井や壁面等の取付け面に取り付けるための台座(10)を兼用している。
【００１０】
請求項３は請求項１又は２に記載のラベルの貼着構造において、ラベル貼着部(５)の第１貼着領域(51)は、表面を平滑面(53)に形成してラベル(６)の接着剤層(65)に対して強接着性が付与され、第２貼着領域(52)は、表面を目視できる細かい凹凸のある凹凸面(54)に形成して、ラベル(６)の接着剤層(65)に対して弱接着性が付与されている。
【００１１】
請求項４は請求項１乃至３の何れかに記載のラベルの貼着構造において、ベース部(１)は合成樹脂にて形成され、ラベル貼着部(５)の平滑面(53)及び凹凸面(54)は、ベース部の成形金型に対応する面が写し取られて形成されている。
【００１２】
請求項５の監視カメラは、構造物の天井、壁等の取付け面に取付ける取付け台座(10)上に制御基板、カメラを含む複数の構成部材からなるカメラユニット(４)を搭載し、該カメラユニット(４)をドーム型カバー(３)で覆い、取付け台座(10)をベース部(１)とした請求項１乃至４の何れかに記載のラベルの貼着構造を有する。
【発明の効果】
【００１３】
請求項１のラベルの貼着構造は、ラベル(６)の品質表示部(61)、即ち、商品の定格、性能等、構成部品の一部を交換することによって表示内容が変わる部分は、商品のラベル貼着部(５)の第１貼着領域(51)に強力に接着されており剥がすことは困難である。これに対して、商品の固有の記号を表したラベル(６)の記号表示部(62)は、ラベル貼着部(５)の第２貼着領域(52)剥離可能に接着され、しかも品質表示部(61)と記号表示部(62)の境界には分断可能部(63)が設けられているから、記号表示部(62)だけを綺麗に剥がすことができる。
従って、ベース部(１)を含んで商品の品質表示部(61)の表示を変えなければ成らない様な構成部品を取り替えた場合、古いベース部(１)上のラベル(６)から記号表示部(62)だけを剥離し、新しいベース部(1a)の適所に貼り付けると、商品の履歴が失われることはない。
従来の様に、最初の商品にラベル(６)の記号表示部(62)だけ示した別ラベルを同梱して置く場合の様に、ユーザ側で該別ラベルを紛失してしまうことを防止できる。
【００１４】
請求項２は、監視カメラにオプション機能を付加するため等の理由で、制御基板(42)をベース部(１)である取付け台座(10)と一緒に交換する場合に、請求項１の効果で記載した様に、監視カメラの性能が変わっても、履歴を失うことはない。
【００１５】
請求項３の貼着構造は、ラベル貼着部(５)の第１貼着領域(51)の表面は平滑面(53)、第２貼着領域(52)の表面は目視できる細かい凹凸のある凹凸面(54)であるから、ベース部(１)を合成樹脂の射出成形や、金属の精密鋳造で形成する場合に、金型側に該平滑面(53)、凹凸面(54)に対応する加工を施すことにより、前記特徴あるラベル貼着部(５)を有するベース部(１)を能率的に製造できる。
第１貼着領域(51)は平滑面(53)、第２貼着領域(52)は凹凸面(54)であることによって、ラベル(６)の接着剤層(65)に対して、強接着性、弱接着性を付与しているおり、このためラベル(６)の接着剤層(65)は均質でよいから、ラベル(６)の裏面の全面に均質な接着剤をコーティングして接着剤層(65)を簡単且つ能率的に形成できる。
【００１６】
請求項４のラベルの貼着構造の効果は、請求項３の効果で説明済みである。
【００１７】
請求項５の監視カメラは、請求項２の効果に記載済みである。
【発明を実施するための最良の形態】
【００１８】
図１は、本発明を実施した監視カメラの一例を示す分解図である。
監視カメラは、円形のベース部(１)と、該ベース部(１)上に搭載されたカメラユニット(４)(図２参照)と、該ベース部(１)に台座カバー(２)を介して取り付けられカメラユニット(４)に被さるドーム型カバー(３)とによって構成される。
【００１９】
図２に示す如く、カメラユニット(４)の主要品であるビデオカメラ(41)は、ベース部(１)上にブラケット(43)を介して取り付けられ、ブラケット(43)、即ち、カメラ(41)はベース部(１)の中心線Ｌを中心に位置決め回転可能(パン方向に回転可能)である。カメラ(41)は、ブラケット(43)上の枢軸(44)を中心にしてブラケット(73)の回転平面と直交する面内でも回転可能(チルト方向に回転可能)である。
台座本体(11)の適所に制御基板(42)が取り付けられている。
【００２０】
ブラケット(43)を含むカメラ(41)は、ベース部(１)から取り外して、図５に示す別のベース部(1a)に載せ換え可能である。
制御基板(42)は、ベース(１)から取出し不能或いは取出し難い様に取り付けられている。
【００２１】
監視カメラのベース部(１)は、カメラユニット(４)を搭載する役割と、監視カメラを構造物の天井や壁面等の取付け面に取り付けるための台座(10)を兼用している。
【００２２】
ドーム型カバー(３)は、不透明な内カバー(31)と透明外カバー(４)の二重構造である。
内カバー(31)には、チルト方向に延びる窓孔(33)が開設され、内カバーは、窓孔(33)がカメラのレンズの向きに対応する様に、台座(10)に対して回転位置決め可能である。
ドーム型カバー(３)は、台座カバ−(２)から脱着可能であり、台座カバー(２)はベース部(１)から脱着可能である。
【００２３】
監視カメラには、図６に示す如く、品質表示部(61)と記号表示部(62)を有するラベル(６)が貼着される。
ラベル(６)は矩形に形成され、ラベル(６)の品質表示部(61)は、監視カメラの電源定格値等の定格、性能等の品質を表示している。
記号表示部(62)は、当該監視カメラ固有の記号、実施例では複数桁の数字列を表示している。品質表示部(61)と記号表示部(62)は、互いの面積が明らかに違う様に形成されている。
品質表示部(61)と記号表示部(62)の直線状の境界部には、道具を用いることなく、ラベル(６)を品質表示部(61)と記号表示部(62)に分断可能な分断可能部(63)が形成されている。
実施例の分断可能部(63)は、所謂ミシン目と呼ばれる断続的な切込み列(64)である。
ラベル(６)の裏面には、全面に亘って均質な接着剤層(65)が形成されている。
【００２４】
図３に示す如く、監視カメラのベース部(１)の裏面に、ラベル(６)を貼着するためのラベル貼着部(５)が形成されている。
ラベル貼着部(５)は、ラベル(６)の大きさに対応して浅く凹んで形成されている。ラベル貼着部(５)の凹みは、ラベル(６)の厚みよりは少し深い。
ラベル貼着部(５)は、第１貼着領域(51)と第２貼着領域(52)に区画されている。
第１貼着領域(51)は、ラベル(６)の品質表示部(61)に対応する大きさであり、表面はベース部(１)の他の部分の表面に較べて、より平滑面(53)に形成されいる。
第２貼着領域(52)は、目視出来る程度の細かい凹凸面(54)に形成されている。該凹凸面(54)はローレット加工状、凸条と凹条を交互に形成したもの、梨地状等で実施可能である。
第１貼着領域(51)の平滑面(53)は、平滑であるが故にラベル(６)の接着剤層(65)に対して強接着性を有す。
第２貼着領域(52)の凹凸面(54)は、ラベル(６)の接着剤層(65)に対して接触面積を少なくして該接着剤層(65)にたいして弱接着性を有す。
【００２５】
ベース部(１)を合成樹脂の射出成形で成形する場合、成形金型の、前記ラベル貼着部(５)の平滑面(53)に対応する部分を鏡面に加工しておき、凹凸面(54)に対応する部分が凹凸面(54)とは凹と凸が逆の関係の凹凸面に加工しとおけば、ベース部(１)を成形したとき、平滑面(53)と凹凸面(54)も形成されており、後加工の必要がない。
ベース部(１)を型鋳造する場合でも、平滑面(53)と凹凸面(54)をベース部(１)と一緒に成形できる。
【００２６】
然して、ベース部(１)のラベル貼着部(５)にラベル(６)を貼着する。
ラベル(６)の品質表示部(61)と記号表示部(62)の大きさは明らかに異なっており、品質表示部(61)と記号表示部(62)の境界には、目視できる分断可能部(63)も形成されており、他方、ラベル貼着部(５)の該品質表示部(61)に対応する第１貼着領域(51)は、品質表示部(61)と同じ面積で平滑面(53)に形成され、又、記号表示部(62)に対応する第２貼着領域(52)は、記号表示部(62)と同じ面積で凹凸面(54)に形成されているから、ラベル(６)の品質表示部(61)を第２貼着領域(52)に、記号表示部(62)を第１貼着領域(51)に貼着する間違いを防止できる。
【００２７】
ラベル(６)の品質表示部(61)裏面の接着剤層は、ラベル貼着部(５)の平滑面(53)の全面に接着させて強力に接着できる。この接着力は、品質表示部(61)を刃物等を用いて無理に剥がそうとしても、ラベルが細かく削り取られてしまってラベルの呈を成さなくなるほどの強力さである。即ち、ラベルの原形を留めて剥がすこと出来ない強力さである。
ラベル(６)の記号表示部(62)裏面の接着剤層は、ラベル貼着部(５)の凹凸面(54)の内、凹部には接触し難いので、凹凸面(54)全体に対する接触面積は小さくなって、剥離可能程度に弱く接着される。
【００２８】
ラベル(６)は、浅く凹んだラベル貼着部(５)に貼着されているから、監視カメラの梱包や設置の際に、手指の爪が不用意にラベル貼着部(５)の端縁に引っ掛かることは防止される。このため、記号表示部(62)がラベル貼着部(５)に剥離可能に貼着されていても、記号表示部(62)に手指の爪が不用意に引っ掛かって記号表示部(62)が剥がれることはない。
【００２９】
監視カメラを設置後に、オプション機能の付加等の理由で、カメラユニット(４)の制御基板(42)をベース部(１)と一緒に交換することがある。
この場合、図６に示す如く、新しいベース部(1a)の裏面にも、前記同様のラベル貼着部(５)を形成して、新しくなる制御基板(42a)に対応する品質を表示した品質表示部(61a)及び新しい固有の記号を表示した記号表示部(62a)を有する新しいラベル(6a)を貼着しておく。
新しいベース部(1a)にはラベル貼着部(５)の近傍に第２貼付部(７)を形成しておく。第２貼着部(７)は、図３に示す古いラベル(６)の記号表示部(62)に対応する大きさで前記したラベル貼着部(５)と同様にして浅く凹んでおり、表面はラベル(６)裏面の接着剤層(65)に対して強い接着性を有する様に平滑面(71)に形成されている。
【００３０】
古い監視カメラに貼着されているラベル(６)から、記号表示部(62)を剥がす。
ベース部(１)の浅く凹んだラベル貼着部(５)の端縁から、手指の爪を記号表示部(62)の端縁に引っ掛けてつまみ、断続的な切込み(64)に沿う後方に引っ張ると、ラベル(６)は断続的な切込み(64)で千切れて、記号表示部(62)だけを剥がすことができ。
記号表示部(62)は、ラベル貼着部(５)の第２貼着領域(52)に剥離可能に弱く接着され、ラベル(６)の品質表示部(61)は、第１貼着領域(51)に強力に接着されており、しかも品質表示部(61)と記号表示部(62)の境界には分断可能部(63)が設けられているから、記号表示部(62)だけをその裏面に接着剤層を有したまま綺麗に剥がすことができる。
【００３１】
図６に示す如く、新しいベース部(1a)の第２貼付部(７)に、上記剥がした記号表示部(62)を貼着する。記号表示部(62)の裏面には接着剤層(65)が施されたままであるから、別の接着剤を必要とすることなく、そのまま貼着できる。
第１貼付部(７)の表面は平滑面(71)であるから、記号表示部(62)を強力に接着できる。
新しいベース部(１)に新しいラベル(6a)及び古いラベル(６)の記号表示部(62)が貼着されているから、制御基板(42)を取り替えて新しくなった監視カメラの現在の性能と、古い記号表示部(62)から履歴が分かり、メーカ側で管理し易くなり、監視カメラの点検、整備に有用である。
【００３２】
上記実施例の説明は、本発明を説明するためのものであって、特許請求の範囲に記載の発明を限定し、或いは範囲を減縮する様に解すべきではない。又、本発明の各部構成は上記実施例に限らず、特許請求の範囲に記載の技術的範囲内で種々の変形が可能であることは勿論である。
【００３３】
例えば、ラベル(６)の分断可能部(63)は、前記した切込み列(64)に限らず、品質表示部(61)と記号表示部(62)の境界線の全長に亘って、ラーベルの厚みの中間深さまで切り込んだ所謂ハーフカットでも実施できる。要は、品質表示部(61)と記号表示部(62)を道具を使うことなく容易に分断できれば分断可能部(63)の構成は問わない。
【図面の簡単な説明】
【００３４】
【図１】監視カメラの分解斜視図である。
【図２】ベース部上のカメラユニットの斜視図である。
【図３】ベース部裏面及びラベルの斜視図である。
【図４】図３Ａ−Ａ線に沿う断面図である。
【図５】新しい制御基板を搭載したベース部に古いカメラを取付けた状態の斜視図である。
【図６】新しいベース部と新しいラベル及び古いラベルの記号表示部の斜面図である。
【符号の説明】
【００３５】
１  ベース部
10  台座
３  ドーム型カバー
４  カメラユニット
41  カメラ
42  制御基板
５  ラベル貼着部
51  第１貼着領域
52  第２貼着領域
53  平滑面
54  凹凸面
６  ラベル
61  品質表示部
62  記号表示部
63  分断可能部
７  第１貼付部
【図１】
0004721927.tif 000002
【図２】
0004721927.tif 000003
【図３】
0004721927.tif 000004
【図４】
0004721927.tif 000005
【図５】
0004721927.tif 000006
【図６】
0004721927.tif 000007